【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  入射側がほぼテレセントリックになった投写用ズームレンズであって、スクリーン側から順に、負の屈折力の第１のレンズ群と、正の屈折力の第２のレンズ群と、正の屈折力の第３のレンズ群と、負の屈折力の第４のレンズ群と、正の屈折力の第５のレンズ群とを有し、前記第１および第５のレンズ群を固定し、前記第２、第３および第４のレンズ群を移動することによりズーミングが可能であり、最もスクリーン側の前記第１のレンズ群を構成するレンズの少なくとも一方の面が非球面であることを特徴とする投写用ズームレンズ。
【請求項２】  請求項１において、前記第１のレンズ群は１枚構成である投写用ズームレンズ。
【請求項３】  請求項１において、前記第１のレンズ群の最もスクリーン側のレンズがスクリーン側に凸の負の屈折力のメニスカスレンズである投写用ズームレンズ。
【請求項４】  請求項１において、前記第１および第２のレンズ群の広角端における合成焦点距離ｆｗ１２と、該投写用ズームレンズの広角端における合成焦点距離ｆｗが次の式を満たす投写用ズームレンズ。
３＜ｆｗ１２／ｆｗ
【請求項５】  請求項１において、該投写用ズームレンズの全長Ｌと、前記第２のレンズ群の焦点距離ｆ２が次の式を満たす投写用ズームレンズ。
１．４＜Ｌ／ｆ２＜１．８
【請求項６】  請求項１において、前記第１のレンズ群の焦点距離ｆ１と、前記第２のレンズ群の焦点距離ｆ２が次の式を満たす投写用ズームレンズ。
０．８＜｜ｆ１／ｆ２｜＜１．３
【請求項７】  請求項１ないし６のいずれかに記載の投写用ズームレンズと、この投写用ズームレンズの入射側に投写用の映像を供給可能な画像形成装置とを有するプロジェクタ装置。
【手続補正２】
【補正対象書類名】明細書
【補正対象項目名】０００２
【補正方法】変更
【補正の内容】
【０００２】
【従来の技術】
図１１に、一般的な３板式の液晶プロジェクタの概略構成を示してある。画像をスクリーンなどに拡大投影可能なプロジェクタ装置８は、入射側から供給された画像をスクリーンに向かって投影する投写用ズームレンズ１と、この投写用ズームレンズ１に画像を供給する画像形成装置７とを備えている。液晶プロジェクタ装置の場合は、画像形成装置７のライトバルブとして液晶パネル３が採用されており、図１１に示したプロジェクタ装置８においては、白色光源６と、この光源６から放射された光を色分解するダイクロイックミラー５Ｒおよび５Ｇと、赤色、緑色および青色に色分解された各色の画像を形成する透過型表示媒体（ライトバルブ）である液晶パネル３Ｂ、３Ｇおよび３Ｒとを備えている。これらの液晶パネル３Ｂ、３Ｇおよび３Ｒによって形成された投写用の画像はダイクロイックプリズム２に導かれ、色合成された後、投写用レンズ１に入射される。そして、各液晶ライトバルブ３Ｂ、３Ｇおよび３Ｒに表示された画像が拡大および合成されてスクリーン９の上に結像される。
【手続補正３】
【補正対象書類名】明細書
【補正対象項目名】０００８
【補正方法】変更
【補正の内容】
【０００８】
【課題を解決するための手段】
このため、本発明においては、投写用ズームレンズあるいは投写用ズームレンズシステムを構成する最もスクリーン側のレンズのいずれかの面を非球面とすることにより、レンズ構成を簡易にし、さらに、コンパクトで性能の良いズームレンズを実現できるようにしている。すなわち、本発明の投写用ズームレンズは、入射側がほぼテレセントリックになった投写用ズームレンズであって、スクリーン側から順に、負の屈折力の第１のレンズ群と、正の屈折力の第２のレンズ群と、正の屈折力の第３のレンズ群と、負の屈折力の第４のレンズ群と、正の屈折力の第５のレンズ群とを有し、第１および第５のレンズ群を固定し、第２、第３および第４のレンズ群を移動することによりズーミングが可能であり、それらの最もスクリーン側の第１のレンズ群を構成するレンズの少なくとも一方の面が非球面であることを特徴としている。
【手続補正４】
【補正対象書類名】明細書
【補正対象項目名】００３２
【補正方法】変更
【補正の内容】
【００３２】
加えて、非球面化されるレンズＬ１１を、本例ではスクリーン側に凸の負のメニスカスレンズとしている。このタイプのレンズにすることにより、レンズ径に対し大きな画角を確保できる。また、小さなレンズ径で十分な周辺光量比を確保できる構成でもある。このため、径が小さな、投写用ズームレンズとしては非常に薄い、あるいは細い構成で、Ｆナンバーが小さく明るく、また、広角なズームレンズを実現することができる。したがって、最も口径の大きなレンズを非球面化すると共に、そのレンズの口径を小さくすることが可能となっており、よりコストメリットがあり、コンパクトなズームレンズとなっている。
【手続補正５】
【補正対象書類名】明細書
【補正対象項目名】００３４
【補正方法】変更
【補正の内容】
【００３４】
さらに、ズームレンズ１を構成するレンズ枚数を減らすことにより、経済的になることはもちろん、ズームレンズ１の全長が短くなりコンパクトになると共に、軽量になる。そして、ズームレンズ１の全体の透過率も向上するので、明るく、コンパクトで軽量のズームレンズを実現することができ、現在、鋭意開発が進められている携帯型のプロジェクタの好適なズームレンズを提供することができる。
【手続補正６】
【補正対象書類名】明細書
【補正対象項目名】００３８
【補正方法】変更
【補正の内容】
【００３８】
図２に、この投写用ズームレンズの広角端（ａ）、望遠端（ｃ）および中間（ｂ）における球面収差、非点収差および歪曲収差を示してある。さらに、図３ないし図５に広角端（図３）、望遠端（図５）および中間（図４）における球面収差を横収差図により示してある。球面収差は、６２０．０ｎｍ（破線）、５５０．０ｎｍ（実線）および４７０．０ｎｍ（一点鎖線）の各波長における収差を示している。また、非点収差および横収差図においては、タンジェンシャル光線（Ｔ）およびサジタル光線（Ｓ）の収差をそれぞれ示してある。
【手続補正７】
【補正対象書類名】明細書
【補正対象項目名】００３９
【補正方法】変更
【補正の内容】
【００３９】
これらの図に示してあるように、本例の投写用ズームレンズ１の縦収差は、広角端から望遠端にわたり、ほぼ±０．１ｍｍ程度の範囲に入り、この収差性能は従来のテレセントリックタイプの投写用ズームレンズで、１０数枚構成の高性能なズームレンズ以上である。したがって、本例の投写用ズームレンズは、上記のように非常にコンパクトであり、さらに、全体が９枚構成と簡易なレンズ構成であるにも関わらず、その収差性能が非常に優れていることが判る。また、倍率色収差、歪曲収差においても縦収差と同様に従来の１０数枚構成のズームレンズに勝るとも劣らないものである。さらに、横収差は広角端から望遠端にわたり、ほぼ±０．０３ｍｍ程度の範囲に入る。したがって、横収差性能も非常に良く、コマ収差の影響によるフレア（コマフレア）がほとんど表れない性能の良い投写用ズームレンズとなっている。
【手続補正８】
【補正対象書類名】明細書
【補正対象項目名】００４１
【補正方法】変更
【補正の内容】
【００４１】
［実施例２］
図６に、本発明の実施例２に係る投写用ズームレンズ１を用いたプロジェクタの光学系を示してある。図６には、図１と同様に広角端、中間および望遠端における各レンズ配置を中心として示してある。本例の投写用ズームレンズ１も、スクリーン９の側から５つのレンズ群Ｇ１、Ｇ２、Ｇ３、Ｇ４およびＧ５にグループ化された１０枚のレンズＬ１１〜Ｌ５１により構成されている。それぞれのレンズデータは以下に示した通りである。本例の投写用ズームレンズ１の各レンズ群の構成は、上述した例とほぼ同じであるが、第４のレンズ群Ｇ４の最もスクリーン側のレンズをダブレットに代えて第４のレンズ群Ｇ４を５枚構成にしている。このため、本例の投写用ズームレンズ１は全部で１０枚のレンズにより構成されている。
【手続補正９】
【補正対象書類名】明細書
【補正対象項目名】００４６
【補正方法】変更
【補正の内容】
【００４６】
図７に、この投写用ズームレンズの広角端（ａ）、望遠端（ｃ）および中間（ｂ）における球面収差、非点収差および歪曲収差を示してある。さらに、図８ないし図１０に広角端（図８）、望遠端（図１０）および中間（図９）における球面収差を横収差図により示してある。これらの図に示してあるように、本例の投写用ズームレンズ１の縦収差は、広角端から望遠端にわたり、ほぼ±０．１ｍｍ以内の範囲にはいり、上記のズームレンズに対し、さらに収差性能の良いレンズとなっている。また、横収差は広角端から望遠端にわたり、ほぼ±０．０２ｍｍ程度の範囲に入る。したがって、横収差性能も非常に良く、本例のズームレンズ１においてもコマ収差の影響によるフレア（コマフレア）がほとんど表れない性能の良い投写用ズームレンズとなっている。